【手続補正書】
【提出日】平成25年7月3日(2013.7.3)
【手続補正１】
【補正対象書類名】特許請求の範囲
【補正対象項目名】全文
【補正方法】変更
【補正の内容】
【特許請求の範囲】
【請求項１】
被測定者の体重測定値と、測定日時とが関連付けされた測定データを取得するための体重取得手段と、
前記体重取得手段により取得された前記測定データを格納するための記憶手段と、
就寝中の体重の変動量と、体重の日内目標増減量とを含む目標日内変動量を、前記記憶手段の前記測定データに基づき算出する目標算出手段と、
前記目標算出手段により取得された前記目標日内変動量に基づいて、被測定者の起床から就寝までのうち起床側の第１タイミングで測定した起床側体重値に対して就寝側の第２タイミングで就寝側体重値を測定する際の目標となるべき目標値を算出する演算手段と、を備え、
前記目標算出手段は、
前記記憶手段の前記測定データに基づき、前記日内目標増減量が前記起床側体重値に対して所定範囲の増減率となるように、前記日内目標増減量を算出する、体重管理装置。
【請求項２】
前記目標算出手段は、
初期日時の初期体重値から体重管理の完了の日時である目標日時の体重管理の完了のときに目標とされる目標体重値までの、前記所定範囲の増減率のうちの所定増減率と、前記記憶手段に前記測定データを記憶された第１の日時から前記第１の日時より後の第２の日時まで体重の増減率とを比較し、比較結果に基づき、前記日内目標増減量を算出する、請求項１に記載の体重管理装置。
【請求項３】
前記目標算出手段は、
初期日時の初期体重値から目標日時の目標体重値まで、前記所定範囲の増減率のうちの所定増減率に従って体重値が変化する場合における、所定日時の所定体重値を算出する体重算出手段と、
所定日時に測定される前記起床側体重値と、前記体重算出手段により算出された前記所定体重値とを比較し、値の比較結果に基づき、前記日内目標増減量を算出する増減量算出手段と、を含む、請求項１または２に記載の体重管理装置。
【請求項４】
前記値の比較結果によって、前記所定日時に測定された前記起床側体重値は、前記所定体重値よりも大きいことが示されるとき、前記増減量算出手段は、
前記所定日時に測定された前記起床側体重値の所定割合に相当する増減量と、前記所定増減率に従う増減量とのうちの小さい方を前記日内目標増減量として算出し、
前記所定割合は、前記所定範囲の増減率のうちの最大増減率である、請求項３に記載の体重管理装置。
【請求項５】
前記値の比較結果によって、前記所定日時に測定された前記起床側体重値は、前記所定体重値よりも小さいことが示されるとき、前記増減量算出手段は、
前記所定増減率に従う増減量を前記日内目標増減量として算出する、請求項３または４に記載の体重管理装置。
【請求項６】
前記値の比較結果によって、前記所定日時に測定された前記起床側体重値は、前記所定体重値と等しいことが示されるとき、前記増減量算出手段は、
前記所定日時に測定された前記起床側体重値と前記目標体重値との差分を、前記所定日時から前記目標日時までの日数で除算することにより、前記日内目標増減量を算出する、請求項３から５のいずれかに記載の体重管理装置。
【請求項７】
前記目標算出手段は、
前記測定データに基づき、過去の複数日における就寝側体重値と翌日の起床側体重値と
の差である複数の就寝中体重変動量の平均を算出することにより、前記就寝中の体重の変動量を取得する、請求項１から６のいずれかに記載の体重管理装置。
【請求項８】
前記演算手段は、
前記測定データに基づき、過去に複数日測定した就寝側体重値と翌日の起床側体重値との差である複数の就寝中体重変動量の平均を、標準変動量として算出し、
前記測定データに基づき、過去に複数日測定した起床側体重値の測定日時の平均時間と、前記所定日時に測定された起床側体重値の測定時間との差により、前記標準変動量を除算し、除算結果の値を用いて前記起床側体重値を補正し、
補正後の前記起床側体重値を用いて前記目標値を算出する、請求項１から７のいずれかに記載の体重管理装置。
【請求項９】
被測定者の身体に関する身体情報と身体のインピーダンスとに基づく基礎代謝量を算出する基礎代謝量取得手段を、さらに備え、
前記目標算出手段は、
前記基礎代謝量を用いて前記就寝中の体重の変動量を算出する、請求項１から７のいずれかに記載の体重管理装置。
【請求項１０】
前記演算手段により算出された前記目標値を出力する出力手段を、さらに備える、請求項１から９のいずれかに記載の体重管理装置。
【請求項１１】
前記就寝側体重値および前記起床側体重値を用いて、日内の目標を達成したか否か判定する目標達成判定手段と、
前記目標達成判定手段の判定結果を出力する手段とを、さらに備える、請求項１から１０のいずれかに記載の体重管理装置。
【請求項１２】
コンピュータを用いて被測定者の体重を管理する体重管理方法であって、
測定された被測定者の体重測定値と、測定日時とが関連付けされた測定データを取得するためのステップと、
前記測定データをメモリに格納するためのステップと、
就寝中の体重の変動量と、体重の日内目標増減量とを含む目標日内変動量を、前記メモリの前記測定データに基づき算出するステップと、
前記目標日内変動量を算出するステップにより算出された前記目標日内変動量に基づいて、被測定者の起床から就寝までのうち起床側の第１タイミングで測定した起床側体重値に対して就寝側の第２タイミングで就寝側体重値を測定する際の目標となるべき目標値を算出するステップと、を備え、
前記目標日内変動量を算出するステップは、
前記メモリの前記測定データに基づき、前記日内目標増減量が前記起床側体重値に対して所定範囲の増減率となるように、前記日内目標増減量を算出するステップを含む、体重管理方法。
【請求項１３】
コンピュータに体重管理方法を実行させるためのプログラムであって、
前記体重管理方法は、
測定された被測定者の体重測定値と、測定日時とが関連付けされた測定データを取得するためのステップと、
取得された前記測定データがメモリに格納するためのステップと、
就寝中の体重の変動量と、体重の日内目標増減量とを含む目標日内変動量を、前記メモリの前記測定データに基づき算出するステップと、
前記目標日内変動量を算出するステップにより算出された前記目標日内変動量に基づいて、被測定者の起床から就寝までのうち起床側の第１タイミングで測定した起床側体重値に対して就寝側の第２タイミングで就寝側体重値を測定する際の目標となるべき目標値を算出するステップと、を備え、
前記目標日内変動量を算出するステップは、
前記メモリの前記測定データに基づき、前記日内目標増減量が前記起床側体重値に対して所定範囲の増減率となるように、前記日内目標増減量を算出するステップを含む、コンピュータに体重管理方法を実行させるためのプログラム。
【手続補正２】
【補正対象書類名】明細書
【補正対象項目名】００５０
【補正方法】変更
【補正の内容】
【００５０】
演算部１８３は、目標取得部１８２により取得された目標日内変動量に基づき、被測定者の起床から就寝までのうちの起床側の第１タイミング（朝時間）で測定した起床側体重値に対して、就寝側の第２タイミング（晩時間）で就寝側体重値を測定する際に、その目標となるべき日内目標値（以下、晩目標体重という）を算出する。
【手続補正３】
【補正対象書類名】図面
【補正対象項目名】図７
【補正方法】変更
【補正の内容】
【図７】
2012026846.tif 000001